(57)【要約】      （修正有）【課題】コンクリート二次製品の据え付け時の、日施工量の向上、指等を挟みにくい安全性の向上、工事期間の短縮、早期交通解放、基礎砕石及びコンクリート二次製品の品質の確保、施工精度の向上、補修の施工性の向上を図る。【解決手段】コンクリート二次製品９の据え付け作業において、袋ナット３を配置したプレキャストのアジャストブロック２・１０及びアジャストブロック−を基礎工の施工時に、所定の位置に配置し、アジャストボルト６を使用して、高さの調整を行った後に、アジャストボルト６の天端でモルタル８を敷き均し、コンクリート二次製品９を順次据え付けるものである。【選択図】図５
2014043759.tif 000002
【特許請求の範囲】
【請求項１】
コンクリート二次製品等▲９▼の据え付け作業において、袋ナット等▲３▼を配置したプレキャストのアジャストブロック▲２▼・▲１０▼及びアジャストブロック−Ｗ▲１１▼・▲１２▼を基礎工の施工時に、所定の位置に配置し、アジャストボルト▲６▼を使用して、高さの調整を行った後に、アジャストボルト▲６▼の天端でモルタル▲８▼を敷き均し、コンクリート二次製品等▲９▼を順次据え付けるものである。
なお、埋め込む袋ナット等▲３▼については、アジャストブロック▲２▼・▲１０▼、アジャストブロック−Ｗ▲１１▼・▲１２▼及びアジャスト板▲１７▼の製作時に、据え付けるコンクリート二次製品等▲９▼の重量により、上載荷重に耐えうる材料とし、また、コンクリートのせん断防止として配筋及び埋め込み側にプレート等を考慮し、アジャストボルト▲６▼についても、上載荷重に耐えうる材料とする。
（製作図［図１］・［図２］参照）
【請求項２】
自由勾配側溝等のコンクリート二次製品等▲９▼の製作時に、袋ナット等▲３▼を左右に２箇所づつ４箇所配置し（条件により数の増減も可能）、切り欠きを作り、アジャストボルト▲６▼を使用し高さの調整を行い、順次据え付けインバートコンクリート▲１５▼を打設する。この時にアジャストボルト▲６▼の位置にプレート等▲１４▼を敷くと荷重の大きい製品のコンクリート二次製品等▲９▼を据え付ける際に摩擦抵抗が減少し、容易な据え付けが可能になるものである。
【請求項３】
基礎工の形状が基礎コンクリート▲１３▼を設ける場合は、基礎コンクリート▲１３▼の仕上がり高さに、アジャストブロック▲２▼・▲１０▼及びアジャストブロック−Ｗ▲１１▼・▲１２▼の天端を合わせて設置し、基礎コンクリート▲１３▼を打設した後、アジャストボルト▲６▼を使用し高さの調整を行いその天端高さに合わせてモルタル▲８▼を敷いて、順次コンクリート二次製品▲９▼を据え付けるものである。
この請求項については、上載荷重に耐えうるアジャストブロック▲２▼・▲１０▼及びアジャストブロック−Ｗ▲１１▼・▲１２▼であれば、従来、基礎コンクリート▲１３▼を打設してきたコンクリート二次製品等▲９▼の基礎構造の一部である、基礎コンクリート▲１３▼を省略でき、コストの縮減が図れるものでもある。
【請求項４】
プレキャスト製品のＬ型擁壁・逆Ｌ型擁壁・街渠桝・集水桝等▲９▼の底板として袋ナット等▲３▼を配置し製作したアジャスト板▲１７▼を使用しアジャストボルト▲６▼にて高さの調整を行い、アジャストボルト▲６▼の天端でモルタル▲８▼を敷き均し、それぞれの据付を行うものである。
【発明の詳細な説明】
【技術の分野】
【０００１】  本発明は、コンクリート二次製品等▲９▼の据え付けが迅速に、精度良く、安全に出来るプレキャストのアジャストブロック▲２▼・▲１０▼、アジャストブロック−Ｗ▲１１▼・▲１２▼及びアジャスト板▲１７▼とアジャストボルト▲６▼に関するものと、コンクリート二次製品等▲９▼に袋ナット等▲３▼を埋め込み、アジャストボルト▲６▼を使用したアジャスター付きプレキャスト二次製品▲９▼に関するものである。
また、アジャストブロック▲２▼・▲１０▼、アジャストブロック−Ｗ▲１１▼・▲１２▼及びアジャスト板▲１７▼の製作時については、上載荷重により、袋ナット等▲３▼とアジャストボルト▲６▼の強度を考慮した大きさと本数とし、アジャストブロックそのものにも、プレート等▲１４▼及び配筋を考慮するものとする。
【背景技術】
【０００２】  これまでのコンクリート二次製品等▲９▼の据え付けは、基礎コンクリート▲１３▼を設けてモルタル▲８▼を敷き据え付ける場合と、基礎砕石▲５▼を所定の厚さに転圧し、モルタル▲８▼を敷きコンクリート二次製品等▲９▼を据える方法等で行っているが、転圧の出来ないモルタル▲８▼上にコンクリート二次製品等▲９▼を据え付けた時に、コンクリート二次製品等▲９▼そのものの重量で沈下してしまい、所定の高さに合わせるのに何度も二次製品▲９▼の上げ下ろしが必要で、据え付けに時間を要してる。【０００３】  また、一度、仮に据え付けて、高さ・左右の位置を調整するために、バール等の工具で梃子の原理で行うも、基礎砕石▲５▼とモルタル▲８▼のために力が逃げてしまい、微調整が困難で、基礎砕石▲５▼にも空隙を作り、基礎砕石▲５▼の品質にも悪影響を与えた。【０００４】  そして、基礎コンクリート▲１３▼を施工するコンクリート二次製品等▲９▼の据え付けは、基礎砕石▲５▼を所定の厚さに転圧し、基礎コンクリート▲１３▼を打設後、養生をした後に、モルタル▲８▼を敷き、プラスチック製の調整板等にて高さ調整を行いコンクリート二次製品等▲９▼を据え付けていて、その際に、調整板の厚さ１ｃｍ、１．５ｃｍ、２ｃｍ等の種類が必要で無駄を出し、また、モルタル▲８▼も底面に充填しづらく、バール等の工具を差し込む時に隙間がなく、無理矢理に突き、二次製品等▲９▼に損傷を与えていたり、バール等の調整工具で梃子の原理で作業する際に基礎コンクリートにも損傷損傷を与えている。【０００５】  Ｌ型擁壁・逆Ｌ型擁壁・街渠桝・集水桝のプレキャスト製品についても、コンクリート基礎板及び底板塊を用いる基礎構造において、モルタル▲８▼を敷き均し施工しているが、高さの微調整が容易に出来ず、やはりバール等の調整工具にて梃子の原理で行うが、二次製品等▲９▼を損傷させている。【０００６】  このアジャストブロック▲２▼・▲１０▼、アジャストブロック−Ｗ▲１１▼・▲１２▼及びアジャスト板▲１７▼は、事前に袋ナット等▲３▼にガムテープ等▲４▼を張り、中に砕石等が入らないよう養生し、基礎砕石▲５▼の敷き均し前に、縦断方向の位置はコンクリート二次製品等▲９▼が据わる位置を計測し位置決めを行い、高さは丁張りを基準に、基礎砕石▲５▼の天端高さで据え付けし、左右の位置は、丁張りに基づき、所定の位置に配置する。【０００７】  アジャストブロック▲２▼・▲１０▼及びアジャストブロック−Ｗ▲１１▼・▲１２▼の据え付け後、基礎砕石▲５▼を敷き均し、転圧を行い、ガムテープ等▲４▼を剥がし、砕石などが袋ナット等▲３▼内に入ってない事を確認し、水糸よりアジャストブロック▲２▼・▲１０▼及びアジャストブロック−Ｗ▲１１▼・▲１２▼の天端までの寸法から、据え付けるコンクリート二次製品等▲９▼の高さＨを減じた寸法を、アジャストボルト▲６▼の”出”ｔの寸法として調整したら、もう一方の高さは、水平器▲７▼により合わせた後に、モルタル▲８▼もアジャストボルト▲６▼の天端の高さを基準に敷き均しコンクリート二次製品等▲９▼を据え付けるので、コンクリート二次製品等▲９▼の製作精度がよければ、高さは、ほぼ一度で据付が出来ると思われるが、微調整はバール等での使用もアジャストした空隙ｔがありコンクリート二次製品等▲９▼を傷めずに、作業が容易にできる。また、左右の微調整もアジャストブロック▲２▼・▲１０▼及びアジャストブロック−Ｗ▲１１▼・▲１２▼上で出来るので、従来の砕石と違い、力が伝わり、施工しやすく、基礎砕石▲５▼の品質を損なうことなく、迅速に、精度の良い仕上がりになる。【０００８】  アジャスト板▲１７▼についても同様に、基礎砕石▲５▼上に据え付けてアジャストボルト▲６▼にて高さの調整を行い、アジャストボルト▲６▼の天端でモルタル▲８▼を敷き均し、据え付ける。桝関係に使用する時は、１箇所のアジャストボルト▲６▼を丁張りにより調整した後、残りのアジャストボルト▲６▼は水平器で水平になるよう調整し据え付ける。擁壁関係は、縦断方向のアジャストボルト▲６▼の高さを丁張りを基準に調整した後、横断方向のアジャストボルト▲６▼を水平器等で調整した後、モルタル▲８▼をアジャストボルト▲６▼の天端で敷き均し、順次コンクリート二次製品▲９▼を据え付ける。【０００９】また、コンクリート二次製品等▲９▼に埋め込むタイプのものは、アジャストボルト▲６▼の設置位置の基礎コンクリート▲１３▼上にプレート等▲１４▼を敷くことで、摩擦抵抗が減少し左右の位置調整が容易に出来るので、荷重の重いコンクリート二次製品等▲９▼に使用するとよい。
【発明の概要】
【発明が解決しようとする課題】
【０００１０】  コンクリート二次製品等▲９▼の据え付け時の、日施工量の向上、指等を挟みにくい安全性の向上、工事期間の短縮、早期交通解放、基礎砕石▲５▼及びコンクリート二次製品等▲９▼の品質の確保、施工精度の向上、補修の施工性の向上、一次コンクリートの排除、再利用が可能等である。
【課題を解決するための手段】
【０００１１】  本発明は、あらゆるコンクリート二次製品等▲９▼の据え付け作業において、高さ・位置の調整が正確に、より迅速に行え、基礎砕石▲５▼及び二次製品等▲９▼の品質を損なうことなく、安全な作業ができ、一次コンクリートを省略できる製品等もある。また、基礎コンクリート▲１３▼を設ける構造では基礎コンクリート▲１３▼そのものを省略できる製品もあることが特徴である。
【発明の効果】
【０００１２】  本発明のアジャストブロック▲２▼・▲１０▼、アジャストブロック−Ｗ▲１１▼・▲１２▼及びアジャスト板▲１７▼は、作業効率が向上し、都心部での工事や夜間のみ片側交互通行で昼間は規制を解除する交通量の多い国道の工事、高速道路等あらゆるコンクリート二次製品等▲９▼を扱う工事において、規制日数の減少に伴うＣＯ２の削減など、多大な経済効果をもたらし、通行車両、歩行者、沿線住民にも早期に交通解放が出来る。また、アジャストボルト▲６▼が４点で支持されており、１点を調整する場合、他の３点が接地していれば、コンクリート二次製品等▲９▼に荷重を乗せない限り、指等を挟む危険性もなく安全で効率的な作業ができる。さらに、コンクリート二次製品等▲９▼の損傷等による補修の際には、コンクリート二次製品等▲９▼のみを交換するだけで、基礎に手間をかけることなく容易に補修ができ、コンクリート二次製品等▲９▼を撤去した場合は再利用もできる。縁石工などの、コンクリート二次製品等▲９▼で、一次コンクリートを打設した後に、その上にモルタル▲８▼を敷きコンクリート二次製品等▲９▼を据え付け、二次コンクリートを打設する構造物においては、アジャストブロック−Ｗ▲１１▼・▲１２▼を使用することで、モルタル▲８▼の手間と、一次コンクリートを打設する手間を省くことが出来る。（図面８参照）
【図面の簡単な説明】
【０００１３】
【図１】アジャストブロック▲２▼・▲１０▼の製品製作の説明図である。
【図２】アジャストブロック−Ｗ▲１１▼・▲１２▼の製品製作の説明図である。
【図３】ガムテープ等▲４▼を使用しアジャストブロック▲２▼・▲１０▼の据え付け方法を示した説明図である。
【図４】水平器▲７▼を用いてアジャストボルト▲６▼の取り付け方とモルタル▲８▼を敷き均した説明図である。
【図５】アジャストブロック▲２▼・▲１０▼およびアジャストボルト▲６▼を使用しコンクリート二次製品等▲９▼を据え付けた説明図である。
【図６】アジャストブロック▲２▼・▲１０▼及びアジャストボルト▲６▼を使用しコンクリート二次製品等▲９▼の据え付け方法を示した側面図である。
【図７】アジャストブロック▲２▼・▲１０▼及びアジャストボルト▲６▼を使用しコンクリート二次製品等▲９▼の据え付け方法を示した基面部の図である。
【図８】縁石工等の小断面のコンクリート二次製品等▲９▼をアジャストブロック−Ｗ▲１１▼・▲１２▼を使用し据え付けエプロンコンクリート▲１６▼を打設した断面図である。
【図９】縁石工等の比較的軽量なコンクリート二次製品等▲９▼の据え付け方法を示した側面図である。
【図１０】アジャスター付きプレキャスト二次製品等▲９▼（自由勾配側溝等）の底部の袋ナット等▲３▼にアジャストボルト▲６▼を使用して据え付ける方法を示した断面図である。
【図１１】アジャスター付きプレキャスト二次製品▲９▼（自由勾配側溝等）の底部の袋ナット等▲３▼にアジャストボルト▲６▼を使用して据え付ける方法を示した側面図である。
【図１２】アジャストブロック▲２▼・▲１０▼を基礎砕石▲５▼上に配置し基礎コリート▲１３▼を打設した断面図である。
【図１３】水平器▲７▼を使用し、アジャストボルト▲６▼を調整し、モルタル▲８▼を敷き均した断面図である。
【図１４】アジャスト板▲１７▼の製品製作の説明図である。
【図１５】アジャスト板▲１７▼の据え付け方法を示した断面図である。
【発明を実施するための形態】
【００１４】  日施工量の向上、品質の向上、施工精度の向上、安全性の向上をアジャストブロック▲２▼・▲１０▼、アジャストブロック−Ｗ▲１１▼・▲１２▼及びアジャスト板▲１７▼とアジャストボルト▲６▼、または、アジャスト付きプレキャスト二次製品等▲９▼に埋め込む袋ナット等▲３▼とで実現した。
【実施例１】
【００１５】  図３はアジャストブロック▲２▼・▲１０▼を据え付けて、基礎砕石▲５▼を敷き均した図であるが、転圧機械での転圧もスムーズにでき、また砕石等入らないための、ガムテープ等▲４▼による養生も完全にシャットアウト出来る。
図５は、アジャストブロック▲２▼・▲１０▼を使用しアジャストボルト▲６▼にて高さ調整を行い、モルタル▲８▼を敷きコンクリート二次製品等▲９▼を据え付けた断面図で、バール等の工具が使いやすく、微調整も容易に出来る。モルタル▲８▼も密に敷き詰められる。
図８は一次コンクリートの省略により、打設手間が一回で済み、モルタル▲８▼も不要となる。
図１０はアジャスター付きプレキャスト二次製品▲９▼の据え付けであるが、アジャストボルト▲６▼での微調整が容易で、安全にガタつかずに精度良く据え付けれる。また、プレート等▲１４▼を使用することで、左右の調整が非常にスムーズぬ出来る。
図１２は基礎構造に基礎コンクリート▲１３▼を打設した図である。
アジャストブロック▲２▼・▲１０▼の据付が容易に出来て、基礎コンクリート▲１３▼の打設も、アジャストブロック▲２▼・▲１０▼の天端で仕上げれるので基準が有り、作業が容易である。
図１４はアジャストボルト▲６▼を調整し、モルタル▲８▼を敷きコンクリート二次製品等▲９▼を据え付けた図であるが、アジャストボルト▲６▼の調整が容易で、左右の位置の調整もアジャストブロック▲２▼・▲１０▼上で出来るので、バール等での作業が容易である。
図１６はアジャスト板▲１７▼を使用し、アジャストボルト▲６▼で高さ調整した後、モルタル▲８▼を敷き、コンクリート二次製品等▲９▼を据え付けた図であるが、モルタル▲８▼も密に敷き詰められ、バール等での微調整もアジャストボルト▲６▼を回しやすく容易に出来る。
【産業上の利用可能性】
【００１６】  アジャストブロック▲２▼・▲１０▼、アジャストブロック−Ｗ▲１１▼・▲１２▼及びアジャスト板▲１７▼に埋め込んだ袋ナット等▲３▼と、アジャストボルト▲６▼の強度及び本数により、コンクリート二次製品等▲９▼に限らず、石塔・門柱等様々な製品の据え付けに技術の使用が可能である。アジャストブロック▲２▼・▲１０▼、アジャストブロック−Ｗ▲１１▼・▲１２▼及びアジャスト板▲１７▼の厚さは設計に合わせた作り込みも可能である。
【符号の説明】
【００１７】▲１▼  施工基面
▲２▼  アジャストブロック
▲３▼  袋ナット等
▲４▼  ガムテープ等
▲５▼  基礎砕石
▲６▼  アジャストボルト
▲７▼  水平器
▲８▼  モルタル
▲９▼  コンクリート二次製品等
アジャスター付きプレキャスト二次製品（自由勾配側溝等）
プレキャストＬ型擁壁・プレキャスト逆Ｌ型擁壁等
プレキャスト街渠桝、プレキャスト集水桝等
▲１０▼  アジャストブロック端部用
▲１１▼  アジャストブロック−Ｗ
▲１２▼  アジャストブロック−Ｗ端部用
▲１３▼  基礎コンクリート
▲１４▼  プレート等
▲１５▼  インバートコンクリート
▲１６▼  エプロンコンクリート
▲１７▼  アジャスト板
【図１】
2014043759.tif 000003
【図２】
2014043759.tif 000004
【図３】
2014043759.tif 000005
【図４】
2014043759.tif 000006
【図５】
2014043759.tif 000007
【図６】
2014043759.tif 000008
【図７】
2014043759.tif 000009
【図８】
2014043759.tif 000010
【図９】
2014043759.tif 000011
【図１０】
2014043759.tif 000012
【図１１】
2014043759.tif 000013
【図１２】
2014043759.tif 000014
【図１３】
2014043759.tif 000015
【図１４】
2014043759.tif 000016
【図１５】
2014043759.tif 000017
【図１６】
2014043759.tif 000018
【手続補正書】
【提出日】平成24年10月20日(2012.10.20)
【手続補正１】
【補正対象書類名】明細書
【補正対象項目名】０００１３
【補正方法】変更
【補正の内容】
【０００１３】
【図１】アジャストブロック▲２▼・▲１０▼の製品製作の説明図である。
【図２】アジャストブロック−Ｗ▲１１▼・▲１２▼の製品製品製作の説明図である。
【図３】基礎砕石に先行し、ガムテープ等▲４▼を使用し袋ナット等▲３▼の穴を養生したアジャストブロック▲２▼・▲１０▼を据え付けた説明図である。
【図４】水平器▲７▼を用いてアジャストボルト▲６▼の取り付け方とモルタル▲８▼を敷き均した説明図である。
【図５】アジャストブロック▲２▼・▲１０▼およびアジャストボルト▲６▼を使用しコンクリート二次製品等▲９▼を据え付けた説明図である。
【図６】アジャストブロック▲２▼・▲１０▼及びアジャストボルト▲６▼を使用しコンクリート二次製品等▲９▼の据え付け方法を示した側面図である。
【図７】アジャストブロック▲２▼・▲１０▼及びアジャストボルト▲６▼を使用しコンクリート二次製品等▲９▼の据え付け方法を示した基面部の図である。
【図８】縁石工等の小断面のコンクリート二次製品等▲９▼をアジャストブロック−Ｗ▲１１▼・▲１２▼を使用し据え付けエプロンコンクリート▲１６▼を打設した断面図である。
【図９】縁石工等の比較的軽量なコンクリート二次製品等▲９▼の据え付け方法を示した側面図である。
【図１０】アジャスター付きプレキャスト二次製品等▲９▼（自由勾配側溝等）の底部の袋ナット等▲３▼にアジャストボルト▲６▼を使用して据え付ける方法を示した断面図である。
【図１１】アジャスター付きプレキャスト二次製品▲９▼（自由勾配側溝等）の底部の袋ナット等▲３▼にアジャストボルト▲６▼を使用して据え付ける方法を示した側面図である。
【図１２】アジャストブロック▲２▼・▲１０▼を基礎砕石▲５▼上に配置し基礎コリート▲１３▼を打設した断面図である。
【図１３】水平器▲７▼を使用し、アジャストボルト▲６▼を調整し、モルタル▲８▼を敷き均した断面図である。
【図１４】アジャストブロック▲２▼・▲１０▼およびアジャストボルト▲６▼を使用しコンクリート二次製品等▲９▼を据え付けた説明図である。
【図１５】アジャスト板▲１７▼の製品製作の説明図である。
【図１６】基礎砕石▲５▼上にアジャスト板▲１７▼を据え付けた後、アジャストボルト▲６▼を所定の高さに調整し、アジャストボルト▲６▼の天端でモルタル▲８▼を均しコンクリート二次製品等▲９▼を据え付けた説明図である。
【手続補正書】
【提出日】平成24年10月20日(2012.10.20)
【手続補正１】
【補正対象書類名】図面
【補正対象項目名】図１
【補正方法】変更
【補正の内容】
【図１】
2014043759.tif 000019
【手続補正２】
【補正対象書類名】図面
【補正対象項目名】図４
【補正方法】変更
【補正の内容】
【図４】
2014043759.tif 000020
【手続補正３】
【補正対象書類名】図面
【補正対象項目名】図１０
【補正方法】変更
【補正の内容】
【図１０】
2014043759.tif 000021
【手続補正４】
【補正対象書類名】図面
【補正対象項目名】図１１
【補正方法】変更
【補正の内容】
【図１１】
2014043759.tif 000022
【手続補正５】
【補正対象書類名】図面
【補正対象項目名】図１２
【補正方法】変更
【補正の内容】
【図１２】
2014043759.tif 000023
【手続補正６】
【補正対象書類名】図面
【補正対象項目名】図１３
【補正方法】変更
【補正の内容】
【図１３】
2014043759.tif 000024
【手続補正７】
【補正対象書類名】図面
【補正対象項目名】図１４
【補正方法】変更
【補正の内容】
【図１４】
2014043759.tif 000025